(57)【特許請求の範囲】
【請求項１】
着脱可能なジュエリー台座であって、
チャネルを有する下本体部と、
上本体部と、
解除可能なラッチアセンブリと、を備え、
前記チャネルは、前記下本体部に亘って広がり、前記チャネルの幅を定義する少なくとも２つの離間された側壁と、前記上本体部から離間して前記チャネルの高さを定義する下壁とを含み、
前記上本体部は開位置と閉位置との間の移動のために前記側壁のうちの１つに枢動可能に接続され、前記下本体部は前記上本体部より長い長さを有し、前記下本体部の一部は前記上本体部の各端部について外側に延出し、
前記ラッチアセンブリは、前記閉位置で前記上本体部を保持するために前記上本体部及び前記下本体部と協働して構築されかつ配置され、前記ラッチアセンブリは細長部材が前記チャネルに配置されるように解放可能であり、それにより前記閉位置への前記上本体部の枢動は前記細長部材に対して前記着脱可能なジュエリー台座が固定されることであることを特徴とする着脱可能なジュエリー台座。
【請求項２】
前記ラッチアセンブリは、手動で解放可能であり、前記下本体部の側壁に亘って広がる手動係合可能作動部を含むことを特徴とする請求項１記載の着脱可能なジュエリー台座。
【請求項３】
前記ラッチアセンブリは、摺動スプリングラッチアセンブリであり、前記スプリングラッチアセンブリはその中に落ち込みを有する摺動ラッチ本体と、爪との係合を容易にするために前記落ち込み内に配置されたキャッチと、前記ラッチ本体をラッチ位置に付勢するために前記ラッチ本体及び前記下本体部に接続されたバネ部材と、を含み、前記爪は前記上本体部の下面に配置されていることを特徴とする請求項２記載の着脱可能なジュエリー台座。
【請求項４】
前記下本体部は前記スプリングラッチアセンブリを包含する管状コンジットを含み、前記管状コンジットは前記チャネルについてほぼ横切って配置されていることを特徴とする請求項３記載の着脱可能なジュエリー台座。
【請求項５】
前記管状コンジットは、前記下本体部と前記上本体部との間のピンチポイントとして機能するように前記チャネル中に所定の距離だけ拡張して、前記チャネル内に配置された場合の前記細長部材に沿って前記着脱可能なジュエリー台座が摺動することを防止することを特徴とする請求項４記載の着脱可能なジュエリー台座。
【請求項６】
前記下本体部の前記外側への延出部分の各々はスタビライザ部材を含み、前記スタビライザ部材の各々は前記チャネルについてほぼ垂直に配置され、前記スタビライザ部材の各々は前記チャネル内に配置された細長部材と協働するように構築されかつ配置された少なくとも１つの表面を含んで前記細長部材について前記着脱可能なジュエリー台座の回転を防止することを特徴とする請求項１記載の着脱可能なジュエリー台座。
【請求項７】
前記下本体部の前記外側への延出部分の各々はスタビライザ部材を含み、前記スタビライザ部材の各々は前記チャネルについてほぼ垂直に配置され、前記スタビライザ部材の各々は前記着脱可能なジュエリー台座が取り付けられている細長物体と協働するように構築されかつ配置されている少なくとも１つの表面を含んで前記着脱可能なジュエリーの回転を防止することを特徴とする請求項１記載の着脱可能なジュエリー台座。
【請求項８】
前記スタビライザ部材は着脱可能及び交換可能であることを特徴とする請求項１記載の着脱可能なジュエリー台座。
【請求項９】
前記細長部材は異なる外観のために前記スタビライザ部材の各々の上又は下及び前記チャネルを通過され得ることを特徴とする請求項１記載の着脱可能なジュエリー台座。
【請求項１０】
前記上本体部はその上に石用の少なくとも１つの取り付け部を有し、前記取り付け部は少なくとも１つのカボション石を保持するように構築かつ配置されていることを特徴とする請求項１記載の着脱可能なジュエリー台座。
【請求項１１】
前記上本体部はその上に石用の少なくとも１つの取り付け部を有し、前記取り付け部は少なくとも１つのカット石を保持するように構築かつ配置されていることを特徴とする請求項１記載の着脱可能なジュエリー台座。
【請求項１２】
前記取り付け部は、爪止め、覆輪止め、パヴェセッティング、艶出しセッティング、ブロングセッティング、Ｖブロングセッティング、チャネルセッティング、テンションセッティング、バーセッティング、カレセッティング、ビーズセッティング、ラブオーバセッティング、インビジブルセッティング、又はセミマウントを含むグループから選択されることを特徴とする請求項１１記載の着脱可能なジュエリー台座。
【請求項１３】
前記下本体部及び前記上本体部はその遠位端間に伸張した湾曲部を含むことを特徴とする請求項１記載の着脱可能なジュエリー台座。
【発明の詳細な説明】
【技術分野】
【０００１】
本発明は、ジュエリー品、すなわち、宝飾品に関し、特に、本発明は、他の様々なジュエリー品又は衣料品に取り付けてその視覚的な外観を良くすることができるジュエリー台座に関するものである。
【背景技術】
【０００２】
様々なスタイルのドレスにアクセントを付けて引き立たせるためのジュエリーの使用はジュエリー品のデザインや外観に多様性を必要とする。従って、最も望ましいワードローブには、購入、維持、収納においてかなりの費用につながる多くの衣類及び／又はジュエリーが含まれている。台座内の宝石用原石等のジュエリー品の装飾部分はしばしばその品の最も劇的な要素であり、最も高価な要素であるので、ジュエリーの多様性を高めることができることが示唆されているが、品から品へ装飾部分の選択的交換を行うことにより費用を減少することができる。そのようにして、非常に貴重な宝石用原石又は宝石用原石のアレンジメント等の特に価値がある装飾品を、様々な靴、帽子、衣服、ピン、イヤリング、ブレスレット、ネックレス等のいずれか１つに選択的に固定することができ、それによって宝石用原石の多様性を高め、同時に完全かつ柔軟なワードローブを購入して維持する費用を削減する。しかしながら、従来技術の構造によって達成された交換は主に、ジュエリーの商業的供給者の便宜のためであり、必ずしも個々のエンドユーザの手でより多目的なワードローブの配置のためではない。その結果、示唆され構造が比較的複雑であり、ジュエリーを付ける人によって簡単に扱えない。
【０００３】
着脱可能又は交換可能なジュエリー台座は従来技術で提案されている。一般的には、交換可能なジュエリーは、リング、イヤリング等のジュエリーの特定の部分の石を変えることに集中されており、衣類品や様々な種類のジュエリー品に直接取り付け可能な宝石で飾られた台座を構成することの可能性を無視してきた。
【０００４】
例えば、米国特許Ｎｏ．４，３９３，６６７は、宝石で飾られた台座を交換することができる構造を開示している。交換を達成するために様々なアレンジメントが開示されている。
【０００５】
米国特許Ｎｏ．４，７９４，７６６は、装飾ネジで張力を受けた状態にあるクランプによって所定の位置に保持された交換可能な石を開示し、米国特許Ｎｏ．３，６０５，４３８は、装飾用の背景を介して延びるバーピン上の台座を開示し、装飾用の背景を含むその台座を調和させかつ適合させることができる。それらはバーピン上のスプリングクリップによって所定位置に保持される。
【０００６】
米国特許Ｎｏ．８９９，２９６；１，１５２，３４０及び２，３１６，２２５は、様々な分割リング及びヒンジリングのために除去することができる石台座を開示している。米国特許Ｎｏ．２，５３７，４４５は、所定の位置に留める又はねじ込むことができる台座を開示している。米国特許Ｎｏ．３，５０９，７３４は、磁気的に所定の位置に保持された台座を開示している。米国特許Ｎｏ．３，１１５，７５８はスプリングで負荷が掛かったマウントによって所定の位置に保持された台座を開示している。米国特許Ｎｏ．２，２５３，３４３は、ねじでリングに保持されたエンブレムを開示し、米国特許Ｎｏ．２，３５４，５１３は、リング内の位置決めネジによって所定の位置に保持されたバーピンを有する台座を開示している。
【発明の概要】
【発明が解決しようとする課題】
【０００７】
従来技術で示されたように、従来の可変台座では、簡単に失われ、また最も器用な指を除く全て指がそのデザインを動かすことができるように設計される小さな着脱可能な部品を含むことが要求される。よって、従来の可変台座は、単一のジュエリー品内の台座を失うようないくつかの部品と調和かつ適合させ、また一般の人によって簡単に操作される手段を提供するために単純かつ低コストの方法の必要性を満たしていない。
【課題を解決するための手段】
【０００８】
本発明は、物品の装飾部分がその物品の支持部から選択的に固定又は解放される種類のジュエリー品の改善を提供し、いくつかの目的及び利点を達成し、そのうちのいくつかは次のように要約される。改善によって利用可能になる多種多様の飾り及び支持部の組み合わせから選択した特定の組み合わせを組み立てるためにジュエリーの着用者によって容易に使用される簡略化された構造のジュエリーシステムを提供し、幅広い装飾物品を提供するために必要な高価な装飾品の数を過度に増やすことなく特定のスタイルのドレスにジュエリー品を合わせる能力を高め、より低コストでより多くの利用可能な幅広いジュエリー品を提供することによりファッションの新しい分野を開き、主に全てのサイズ及びカットの宝石を含むほとんど全ての利用可能な装飾要素を収容する能力に万能である構造を提供し、これにより装飾が多種多様の支持部のいずれかとの組み合わせで着用者による選択と配置に利用可能であり、ジュエリー品の装飾部分の容易な交換を可能にする一方、装飾部分が支持台に取り付けられると高度の安全性を提供し、構造を歪めかつ操作の容易さを妨げる傾向にあるストレスの悪影響を回避し、そして長い耐用年数に亘って最高の品質及び模範的なパフォーマンスの非常に望ましいジュエリーシステムの構造を可能にする。
【０００９】
従って、本発明の目的は、着脱可能なジュエリー台座を提供することである。
【００１０】
本発明の更なる目的は、台座が細長い部材に固定されることを可能にする解放可能及びロック可能な上体部を含む着脱可能なジュエリー台座を提供することである。
【００１１】
また、本発明の更なる目的は、細長い部材と協働する内部チャネルを含む着脱可能なジュエリー台座を提供することである。
【００１２】
また、本発明の更なる目的は、それが装着される細長い部材についてジュエリー台座の回転を防止するために外側に取り付けられたスタビライザを有する着脱可能なジュエリー台座を提供することである。
【００１３】
本発明の更に他の目的は、強化された視覚的な外観のために、また、所望の細長い物体にジュエリー台座を装着することを容易にするために着脱及び交換可能なスタビライザを含む着脱可能なジュエリー台座を提供することである。
【００１４】
本発明の他の目的及び利点は、本発明の特定の実施形態を例示によって説明されている添付図面と共に次の詳細な説明から明らかになり得る。本明細書に含まれている図面は本明細書の一部を構成し、本発明の例示的な実施形態を含み、それらの様々なオブジェクト及び特徴を示している。
【図面の簡単な説明】
【００１５】
【図１】図１は着脱可能なジュエリー台座の１つの実施形態の正面斜視図である。
【図２】図２は図１に示された実施形態の正面図である。
【図３】図３は図１に示された実施形態の上面図である。
【図４】図４は図１に示された実施形態の底面図である。
【図５】図５は図１に示された実施形態の左端面図である。
【図６】図６は図１に示された実施形態の右端面図である。
【図７】図７は着脱可能なジュエリー台座の代替の実施形態の正面斜視図である。
【図８】図８は図７に示された実施形態の背面斜視図である。
【図９】図９は図２の線９−９に沿った断面図である。
【図１０】図１０は図７の線１０−１０に沿った断面図である。
【図１１】図１１は図３の線１１−１１に沿った部分断面図である。
【図１２】図１２は図１６の線１２−１２に沿った部分断面図である。
【図１３】図１３は着脱可能なジュエリー台座を介して細長部材を通る代替経路を示す図１６の線１２−１２に沿った部分断面図である。
【図１４】図１４は図１に示された実施形態の分解図である。
【図１５】図１５は図１３の線１５−１５に沿った部分断面図である。
【図１６】図１６は靴ひもに固定された着脱可能なジュエリー台座の１つの実施形態を示す斜視図である。
【図１７】図１７は真珠ブレスレット又はネックレスに固定された着脱可能なジュエリー台座の１つの実施形態を示す斜視図である。
【図１８】図１８はサンダルに固定された着脱可能なジュエリー台座の１つの実施形態を示す斜視図である。
【図１９】図１９は帽子に固定された着脱可能なジュエリー台座の１つの実施形態を示す斜視図である。
【図２０】図２０は着脱可能なジュエリー台座の代替の実施形態を示す正面斜視図である。
【図２１】図２１は図２０に示された実施形態を示す上面図である。
【図２２】図２２は図２０に示された実施形態を示す底面図である。
【図２３】図２３は図２０に示された実施形態を示す左端面図である。
【図２４】図２４は図２０に示された実施形態を示す右端面図である。
【図２５】図２５はブレスレット状の細長部材に固定された着脱可能なジュエリー台座の１つの実施形態を示す斜視図である。
【図２６】図２６はネックレス状の細長部材に固定された着脱可能なジュエリー台座の１つの実施形態を示す斜視図である。
【発明を実施するための形態】
【００１６】
本発明は、様々な形で実施形態を可能とするが、図面に示されており、本発明の開示は、本発明の例示と考えられるべきであり、例示された特定の実施形態に本発明を限定することを意図するものではないことを理解した上で、制限していないものの、現在のところ好ましい実施形態を以下に説明する。
【００１７】
図を全体的に参照すると、着脱可能なジュエリー台座１０の様々な実施形態が示されている。着脱可能なジュエリー台座は、ジュエリー台座の取り付け及び除去が望まれたときアセンブリの内側部分へのアクセスを可能にしつつ閉じた位置にアセンブリを維持するために上本体部２２及びラッチアセンブリ２８に枢動可能に接続された下本体部１２を一般的に含む。これらのタスクを達成するために、下本体部には上本体部２２によって覆われた下本体部の長さに亘るチャネル（通路）１４（図１２及び図１３）が設けられている。チャネルは、好ましくは、チャネル１４の幅を定義する２つの離間した側壁１６，１８と、チャネルの高さを定義するために上本体部２２から離間した下壁２０とを含む。少なくとも１つの実施形態において、下本体部１２の上面３２は、上本体部２２が下本体部１２にはめ込まれることを可能にするノッチ３３を含む。異なる外観を提供することに加えて、この構造は、図７及び図８に示すように、閉及び／又は開位置で上本体部に横方向の安定性を提供する。
【００１８】
図７ないし図１４を参照すると、下壁２０は、好ましくは、下本体部に剛性を提供するために、側壁１６,１８間に一体的に形成されている。下壁の中央部にはラッチハウジング３４が形成されている。ラッチハウジングは、好ましくは、スプリングラッチアセンブリ３６を格納するためにチャネル１４についてほぼ横切って配置された管状コンジット（導管）として形成されている。スプリングラッチアセンブリは、少なくとも１つのバネ部材４０と爪部材４２と協働するように配置された摺動ラッチ本体３８を備えている。摺動ラッチ本体は、好ましくは、ラッチハウジング内において回転を防止する形状を含むように形成され、そこにキャッチ５０を含む落ち込み５２を含んでいる。キャッチは爪部材４２との係合のために落ち込みの中に配置される。爪部材は、上本体部２２の下面４４に配置され、好ましくは、キャッチ５０上の第２の傾斜面４８と協働して構築されかつ配置される第１の傾斜面４６を含み、摺動ラッチアセンブリ３６の移動を引き起こし、それによってバネ部材４０を圧縮する。傾斜面を通過すると、圧縮されたバネはキャッチ５０を爪４２と係合させるために解放され、閉位置（図９）にアセンブリを維持する。最も好ましい実施形態では、前記下本体部の側壁に通って延びるボタン５４として本明細書に示された手動係合可能作動部は、ラッチアセンブリの容易な解放のために備えられている。このようにして着脱可能なジュエリー台座１０は、チャネルへの細長部材５６の挿入のために開かれ、細長部材５６をジュエリー台座１０に固定するために閉じられ得る。取り外しは、上本体部が摺動ラッチアセンブリ３６を介して解放されることを単に必要とし、別の細長部材に取付けるためにジュエリー台座１０を取り外す。なお、いくつかの実施形態では、ラッチハウジング３４は、下壁２０と上本体部分２２の下面４４との間にピンチポイント（図１２及び図１３を参照）として機能するようにチャネル１４中に所定の距離だけ拡張してチャネル１４内に配置された場合の細長部材５６に沿って着脱可能なジュエリー台座１０が摺動することを防止することにも留意すべきである。
【００１９】
図１ないし図２６を参照すると、下本体部１２は、その下本体部の一部が上本体部の各端部について外側に延びるように上本体部２２よりも長い長さを有している。下本体部の外側延出部分５８の各々は、好ましくは、スタビライザ部材６０を含んでいる。各スタビライザ部材は、好ましくは、チャネルに対してほぼ垂直に配置され、各スタビライザ部材はチャネル内に配置された細長部材５６と協働するように構築されかつ配置された少なくとも１つの表面を含んで細長部材について着脱可能なジュエリー台座１０の回転を防止する。少なくとも１つの実施形態において、スタビライザ部材６０は、図１２及び図１３に示されるように、異なる外観のために細長部材５６がスタビライザ部材の各々の上又は下及びチャネルを通過され得るように前記上本体部に対して外側に十分な距離に配置される。加えて、細長部材に対する異なる外観やアセンブリのために、図２及び図１４に示されるように、スタビライザ部材６０は、着脱可能及び交換可能であっても良い。
【００２０】
図を全体的に参照すると、上本体部２２は、好ましくは、上面２３に装飾的な半貴石又は貴石、若しくは限定されるべきでないが、カボション石やカット石(faceted stone)を含む石の配列のための少なくとも１つのマウント（取り付け部）２４を含む。上面がジュエリーや装身具を飾るために当該分野で良く知られた塗料、メッキ又は他の表面コーティングを含んでも良いことにも留意すべきである。好ましくは、上面マウントは、限定されないが、爪止め(claw setting)、覆輪止め(bezel setting)、パヴェセッティング(pave setting)、艶出しセッティング(burnish setting)、ブロングセッティング(prong setting)、Ｖブロングセッティング(v-prong setting)、チャネルセッティング（channel setting)、テンションセッティング(tension setting)、バーセッティング(bar setting)、カレセッティング(carre setting)、ビーズセッティング(bead setting)、ラブオーバセッティング(rub over setting)、インビジブルセッティング(invisible setting)、又はセミマウント(semi mount)を含むグループから選択される。上本体部は、好ましくは、開位置と閉位置との間の移動のためのピン６２を介して前記側壁１６,１８のいずれか一方にピンタイプのヒンジ２６（図９及び１０）を介して枢動可能に接続されている。ピンタイプヒンジアセンブリ２６は、本発明の範囲から逸脱することなく、当該技術分野において周知で任意の数のヒンジで置き換えても良いことに留意すべきである。
【００２１】
図１７を参照すると、真珠のブレスレット又はネックレス７０に固定された着脱可能なジュエリー台座の１つの実施形態がスタビライザ６０に広がっている真珠ストリング（列）７２で示されている。
【００２２】
図１８を参照すると、サンダル７４に固定された着脱可能なジュエリー台座の１つの実施形態が示されている。
【００２３】
図１９を参照すると、帽子７６に固定された着脱可能なジュエリー台座の１つの実施形態が示されている。
【００２４】
図２０ないし図２４を参照すると、着脱可能なジュエリー台座の代替の実施形態が示されている。本実施形態は、ジュエリー台座の各遠位端に収束側壁を含む。
【００２５】
図２５ないし図２６を参照すると、ブレスレット、ネックレス、ハンドバッグのストラップ等の形の細長部材に固定された着脱可能なジュエリー台座の１つの実施形態が示されている。
【００２６】
本明細書に記載されている全ての特許及び刊行物は、本発明が関係する分野の当業者のレベルを示すものである。全ての特許及び刊行物は、個々の刊行物が参照により組み込まれて具体的にかつ個々に示されているように同じ程度の参照により本明細書中に組み込まれている。
【００２７】
本発明のいくつかの形態が示されているが、本明細書に記載され、示された特定の形や配置に限定されるものではないことを理解すべきである。様々な変更が本発明の範囲から逸脱することなく行われても良く、また、本発明は明細書及び／又は本出願に含まれた図面／図で開示及び説明されたことに限定されて考慮されるべきでないことは当該分野の当業者には明らかであり得る。
【００２８】
当該分野の当業者であれば、本発明が目的を遂行し、終了し、上記の利点を得て、更に、そこに内在するものを取得するように好適に適合されていることを理解され得る。本明細書に記載の実施形態、方法、手順、及び技術は、現在の好ましい実施形態を代表するものであり、例示することを意図されており、範囲を限定するものではない。本発明の精神内に包含され、添付の請求の範囲によって定義されているその中の変更やその他の使用を当該分野の当業者が思い付くに違いない。本発明は特定の好ましい実施形態に関連して説明してきたが、請求項に記載された発明がそのような特定の実施形態に過度に限定されるべきではないことを理解すべきである。実際に、当該分野の当業者に自明である、本発明を実施するための説明モードの様々な修正は、以下の請求の範囲内にあると意図される。
【図１】
0005857033.tif 000002
【図２】
0005857033.tif 000003
【図３】
0005857033.tif 000004
【図４】
0005857033.tif 000005
【図５】
0005857033.tif 000006
【図６】
0005857033.tif 000007
【図７】
0005857033.tif 000008
【図８】
0005857033.tif 000009
【図９】
0005857033.tif 000010
【図１０】
0005857033.tif 000011
【図１１】
0005857033.tif 000012
【図１２】
0005857033.tif 000013
【図１３】
0005857033.tif 000014
【図１４】
0005857033.tif 000015
【図１５】
0005857033.tif 000016
【図１６】
0005857033.tif 000017
【図１７】
0005857033.tif 000018
【図１８】
0005857033.tif 000019
【図１９】
0005857033.tif 000020
【図２０】
0005857033.tif 000021
【図２１】
0005857033.tif 000022
【図２２】
0005857033.tif 000023
【図２３】
0005857033.tif 000024
【図２４】
0005857033.tif 000025
【図２５】
0005857033.tif 000026
【図２６】
0005857033.tif 000027